(57)【要約】【課題】装着したまま使用者が容易に足を動かすことができ、かつ使用者の下腿から足先にわたる保温性をも向上することができるブランケットを提供する。【解決手段】ブランケットは、本体部１０と、本体部１０の下端部１２より上側に取り付けられ、両脚２のそれぞれの下腿３に個別に巻きつけ可能に分離して設けられた第１および第２カバー部１３ａ，１３ｂと、第１および第２カバー部１３ａ，１３ｂを両脚２のそれぞれの下腿３に巻きつけられた状態で保持可能な第１および第２係止部１４ａ，１４ｂとを備えている。第１および第２カバー部１３ａ，１３ｂが第１および第２係止部１４ａ，１４ｂによって保持された状態で、本体部１０は第１および第２カバー部１３ａ，１３ｂの下方に使用者１の両脚２の甲部４を覆うことが可能な下端部１２を有している。第１および第２カバー部１３ａ，１３ｂは両脚２の足裏５を露出するように構成されている。【選択図】図１
0003172401.tif 000002
【実用新案登録請求の範囲】
【請求項１】
使用者の両脚を覆うことが可能なブランケットであって、
裏面側で前記使用者の前記両脚の前側を覆うことが可能な本体部と、
前記本体部の前記裏面側において前記本体部の下端部より上側に取り付けられ、前記両脚のそれぞれの下腿に個別に巻きつけ可能に分離して設けられた第１および第２カバー部と、
前記第１および第２カバー部にそれぞれ設けられ、前記第１および第２カバー部を前記両脚のそれぞれの前記下腿に巻きつけられた状態で保持可能な第１および第２係止部とを備え、
前記第１および第２カバー部が前記両脚のそれぞれの前記下腿に巻きつけられて前記第１および第２係止部によって保持された状態で、前記本体部は、前記第１および第２カバー部の下方に前記使用者の前記両脚の甲部を覆うことが可能な前記下端部を有し、
前記第１および第２カバー部は、前記両脚の足裏を露出するように構成されている、ブランケット。
【請求項２】
前記第１および第２カバー部は、互いに間隔を有して配置されている、請求項１に記載のブランケット。
【請求項３】
使用者の両脚を覆うことが可能なブランケットであって、
裏面側で前記使用者の前記両脚の前側を覆うことが可能な本体部と、
前記本体部の前記裏面側において前記本体部の下端部より上側に取り付けられ、前記両脚のそれぞれの下腿の裏側を覆うことが可能に設けられたカバー部とを備え、
前記カバー部が前記両脚のそれぞれの前記下腿の裏側を覆った状態で、前記本体部は、前記カバー部の下方に前記使用者の前記両脚の甲部を覆うことが可能な前記下端部を有し、
前記カバー部と前記本体部の前記裏面との間に、前記使用者の前記両脚の前記下腿の様々な動きを許容する内部領域が設けられ、
前記カバー部は、前記内部領域に前記両脚の前記下腿が挿入されて覆われた状態で前記両脚の足裏を露出するように前記本体部に固着されている、ブランケット。
【請求項４】
前記カバー部は、前記ブランケットの左右方向の一端から他端まで連続的に設けられている、請求項３に記載のブランケット。
【考案の詳細な説明】
【技術分野】
【０００１】
本考案はブランケットに関し、特に、使用者の両脚を覆うことが可能なブランケットに関するものである。
【背景技術】
【０００２】
使用者がたとえば着座状態で使用するブランケットは、一般に、足先や下腿を覆うことに主眼を置いて形成されていないため、使用者の足先や下腿が冷える傾向にある。
【０００３】
そこで従来、着座状態での足先や下腿の保温性を向上させたブランケットが提案されている。たとえば、特開２００３−８９９０８号公報（特許文献１）には、膝掛けの下部を折り返して側面を縫い付けた足入れ付膝掛けが提案されている。また、特開２００１−１４６６１２号公報（特許文献２）には、使用者の下腿を包み込む下腿保温布を有する膝掛けが提案されている。また、登録実用新案第３１６３８２５号公報（特許文献３）には、足ポケット部の足出し口から足先を出し、膝掛け部を腰に巻くように構成された下半身防寒保温・防護具が提案されている。
【先行技術文献】
【特許文献】
【０００４】
【特許文献１】特開２００３−８９９０８号公報（特許文献１）
【特許文献２】特開２００１−１４６６１２号公報（特許文献２）
【特許文献３】登録実用新案第３１６３８２５号公報（特許文献３）
【考案の概要】
【考案が解決しようとする課題】
【０００５】
ところで、着座状態でブランケットを使用している使用者が移動したいと思う場合がある。この場合には、通常はブランケットを外してから歩行する。ところが、ブランケットを外すと、ブランケットによる保温は維持できない。そのため、保温性を維持しつつ、ブランケットを装着したまま移動したいという使用者の要望がある。
【０００６】
上記の特開２００３−８９９０８号公報に記載された足入れ付膝掛けでは、膝掛けの下部が折り返されているため、使用者の足先は足入れの内部に挿入されている。したがって、足先の保温性は確保できるが、使用者がこの足入れ付膝掛けを装着したまま歩行することは極めて困難である。
【０００７】
また、上記の特開２００１−１４６６１２号公報に記載された膝掛けでは、下腿保温布を下腿にフィットさせるため、使用者がこの膝掛けを装着したまま歩行することは困難である。その上、この膝掛けでは、膝掛け本体が使用者の足首までしか形成されていないため、使用者の足先が冷える。そのため、着座状態での足先の保温性が不十分である。
【０００８】
一方、上記の登録実用新案第３１６３８２５号公報に記載された下半身防寒保温・防護具では、足ポケット部の足出し口から足先を出し、膝掛け部を腰に巻くことで下半身防寒保温・防護具を装着した状態で歩行することが可能である。しかしながら、この下半身防寒保温・防護具では、膝掛け部が使用者の足首までしか形成されていないため、使用者の足先が冷える。そのため、着座状態での足先の保温性が不十分である。また、この下半身防寒保温・防護具では、膝掛け部に取り付けられた足ポケット部の左右に設けられた足出し口から足先が出ているため、この状態で使用者が下腿を様々に動かそうとした場合に、足ポケット部および膝掛け部が妨げとなる。したがって、この状態で使用者はたとえば脚を組むことは困難である。
【０００９】
本考案は、上記課題を鑑みてなされたものであり、その目的は、装着したまま使用者が容易に足を動かすことができ、かつ使用者の下腿から足先にわたる保温性をも向上することができるブランケットを提供することである。
【課題を解決するための手段】
【００１０】
本考案のブランケットは、使用者の両脚を覆うことが可能であって、裏面側で使用者の両脚の前側を覆うことが可能な本体部と、本体部の裏面側において本体部の下端部より上側に取り付けられ、両脚のそれぞれの下腿に個別に巻きつけ可能に分離して設けられた第１および第２カバー部と、第１および第２カバー部にそれぞれ設けられ、第１および第２カバー部を両脚のそれぞれの下腿に巻きつけられた状態で保持可能な第１および第２係止部とを備えている。第１および第２カバー部が両脚のそれぞれの下腿に巻きつけられて第１および第２係止部によって保持された状態で、本体部は、第１および第２カバー部の下方に使用者の両脚の甲部を覆うことが可能な下端部を有している。第１および第２カバー部は、両脚の足裏を露出するように構成されている。
【００１１】
本考案のブランケットでは、第１および第２カバー部が両脚のそれぞれの下腿に巻きつけられて第１および第２係止部によって保持された状態で、下端部が使用者の両脚の甲部を覆うことが可能であるため、使用者の下腿から足先にわたって保温性を向上することができる。また、第１および第２カバー部は、互いに分離して設けられ、また両脚の足裏を露出するように構成されているため、ブランケットを装着したまま使用者が容易に足を動かすことができる。
【００１２】
上記のブランケットは、好ましくは、第１および第２カバー部は、互いに間隔を有して配置されている。このため、使用者の両脚の間にスペースが保持される。したがって、使用者の両脚の可動領域が保持される。これにより、ブランケットを装着したまま使用者が容易に足を動かすことができる。
【００１３】
本考案の他の局面におけるブランケットは、使用者の両脚を覆うことが可能であって、裏面側で使用者の両脚の前側を覆うことが可能な本体部と、本体部の裏面側において本体部の下端部より上側に取り付けられ、両脚のそれぞれの下腿の裏側を覆うことが可能に設けられたカバー部とを備えている。カバー部が両脚のそれぞれの下腿の裏側を覆った状態で、本体部は、カバー部の下方に使用者の両脚の甲部を覆うことが可能な下端部を有している。カバー部と本体部の裏面との間に、使用者の両脚の下腿の様々な動きを許容する内部領域が設けられている。カバー部は、内部領域に両脚の下腿が挿入されて覆われた状態で両脚の足裏を露出するように本体部に固着されている。
【００１４】
本考案の他の局面におけるブランケットでは、カバー部が両脚のそれぞれの下腿の裏側を覆った状態で、下端部が使用者の両脚の甲部を覆うことが可能であるため、使用者の下腿から足先にわたって保温性を向上することができる。また、カバー部は、内部領域に両脚の下腿が挿入されて覆われた状態で両脚の足裏を露出するように本体部に固着されているため、ブランケットを装着したまま使用者が容易に足を動かすことができる。また、カバー部と本体部の裏面との間に内部領域が設けられているため、ブランケットを装着したまま使用者の下腿の様々な動きを許容することができる。したがって、たとえば脚が疲れた場合にブランケットを装着したまま使用者は脚を組むことができる。
【００１５】
上記のブランケットでは、好ましくは、カバー部は、ブランケットの左右方向の一端から他端まで連続的に設けられている。このため、内部領域を拡張することができる。したがって、使用者の両脚の可動領域を広く確保することができる。これにより、ブランケットを装着したままで、さらに容易に足を動かすことができる。
【考案の効果】
【００１６】
以上説明したように、本考案のブランケットによれば、装着したまま使用者が容易に足を動かすことができ、かつ使用者の下腿から足先にわたる保温性をも向上することができる。
【図面の簡単な説明】
【００１７】
【図１】本考案の実施の形態１におけるブランケットを使用者が装着する様子を示す概略平面図である。
【図２】本考案の実施の形態１におけるブランケットの概略平面図である。
【図３】本考案の実施の形態１におけるブランケットを使用者が装着した状態を示す概略斜視図である。
【図４】本考案の実施の形態２におけるブランケットを使用者が装着する様子を示す概略平面図である。
【考案を実施するための形態】
【００１８】
以下、本考案の実施の形態について図に基づいて説明する。
（実施の形態１）
最初に本考案の実施の形態１のブランケットの構成について説明する。
【００１９】
図１および図２を参照して、本実施の形態のブランケットは、本体部１０と、カバー部１３と、係止部１４とを主に有している。ブランケットは使用者１の両脚２を覆うことが可能である。ブランケットは、使用者１が主に着座状態で使用するためのものである。本体部１０は、裏面１１側で使用者１の両脚２の前側２ａを覆うことが可能に形成されている。本体部１０は、一般的な膝掛けと同様の構造を有している。本体部１０は、たとえば略矩形に形成されている。
【００２０】
カバー部１３は、使用者１の下腿３を覆うためのものである。カバー部１３は一般的な膝掛けと同様の素材で形成されていてもよい。カバー部１３は本体部１０と同じ材料で形成されていてもよい。カバー部１３は、左右方向ＲＬに配置された第１カバー部１３ａおよび第２カバー部１３ｂを有している。第１カバー部１３ａおよび第２カバー部１３ｂは、本体部１０の裏面１１側において上下方向ＵＤに本体部１０の下端部１２より上側に取り付けられている。第１カバー部１３ａおよび第２カバー部１３ｂは、両脚２のそれぞれの下腿３に個別に巻きつけ可能に分離して設けられている。本実施の形態では、図２に示すように、第１カバー部１３ａが使用者１の右足２１の下腿３１に巻きつけられており、第２カバー部１３ｂが使用者１の左足２２の下腿３２に巻きつけられている。第１カバー部１３ａおよび第２カバー部１３ｂによって使用者１の下腿３の裏側３ａが覆われている。第１カバー部１３ａおよび第２カバー部１３ｂは、互いに間隔ＧＰを有して配置されている。
【００２１】
係止部１４は、カバー部１３を使用者１の下腿３に巻きつけた状態で保持するためのものである。係止部１４としては、たとえばボタン、フック、ファスナーなどが適用され得る。係止部１４は、第１係止部１４ａおよび第２係止部１４ｂを有している。第１係止部１４ａおよび第２係止部１４ｂはそれぞれ複数設けられていてもよい。第１係止部１４ａは第１カバー部１３ａに設けられ、第２係止部１４ｂは第２カバー部１３ｂに設けられている。第１係止部１４ａおよび第２係止部１４ｂは、第１カバー部１３ａおよび第２カバー部１３ｂを両脚２のそれぞれの下腿３に巻きつけられた状態で保持可能に形成されている。本実施の形態では、図２に示すように、第１カバー部１３ａが使用者１の右足２１の下腿３１に巻きつけられた状態で第１係止部１４ａは第１カバー部１３ａを保持しており、第２カバー部１３ｂが使用者１の左足２２の下腿３２に巻きつけられた状態で第２係止部１４ｂは第２カバー部１３ｂを保持している。本実施の形態では、係止部１４は、係止孔１５に留められるように構成されている。つまり、第１係止部１４ａが第１係止孔１５ａに留められ、第２係止部１４ｂが第２係止孔１５ｂに留められる。
【００２２】
図１および図３を参照して、第１カバー部１３ａおよび第２カバー部１３ｂが両脚２のそれぞれの下腿３に巻きつけられて第１係止部１４ａおよび第２係止部１４ｂによって保持された状態で、本体部１０は、上下方向ＵＤにおいて第１カバー部１３ａおよび第２カバー部１３ｂの下方に使用者１の両脚２の甲部４を覆うことが可能な下端部１２を有している。ブランケットの使用状態において、使用者１の右足２１の甲部４ａと左足２２の甲部４ｂとが本体部１０の下端部１２によって覆われている。
【００２３】
第１カバー部１３ａおよび第２カバー部１３ｂが両脚２のそれぞれの下腿３に巻きつけられて係止部１４によって保持された状態で、第１カバー部１３ａおよび第２カバー部１３ｂは、両脚２の足裏５を露出するように構成されている。ブランケットの使用状態において、使用者１の右足２１の足裏５ａと左足２２の足裏５ｂとがブランケットから露出している。
【００２４】
次に本実施の形態のブランケットの作用効果について説明する。
本実施の形態のブランケットでは、第１カバー部１３ａが右足２１の下腿３１に巻きつけられて第１係止部１４ａによって保持され、第２カバー部１３ｂが左足２２の下腿３２に巻きつけられて第２係止部１４ｂによって保持された状態で、下端部１２が使用者１の両脚２の甲部４を覆うことが可能であるため、使用者１の下腿３から足先にわたって保温性を向上することができる。また、第１カバー部１３ａおよび第２カバー部１３ｂは、互いに分離して設けられ、また両脚２の足裏５を露出するように構成されているため、ブランケットを装着したまま使用者１が容易に足を動かすことができる。このため、使用者１はブランケットを装着したまま容易に移動することもできる。
【００２５】
本実施の形態のブランケットでは、第１カバー部１３ａおよび第２カバー部１３ｂは、互いに間隔ＧＰを有して配置されている。このため、使用者１の両脚２の間にスペースが保持される。したがって、使用者１の両脚２の可動領域が保持される。これにより、ブランケットを装着したまま使用者１が容易に足を動かすことができる。
【００２６】
（実施の形態２）
最初に本考案の実施の形態２のブランケットの構成について説明する。
【００２７】
図４を参照して、本実施の形態のブランケットは、本体部１０と、カバー部１３とを主に有している。ブランケットは使用者１の両脚２を覆うことが可能である。本体部１０は、裏面１１側で使用者１の両脚２の前側２ａを覆うことが可能に形成されている。
【００２８】
カバー部１３は、本体部１０の裏面１１側において上下方向ＵＤに本体部１０の下端部１２より上側に取り付けられている。カバー部１３は、使用者１の両脚２のそれぞれの下腿３の裏側３ａを覆うことが可能に設けられている。本実施の形態では、カバー部１３が使用者１の右足２１の下腿３１および左足２２の下腿３２のそれぞれの裏側３ａを覆っている。カバー部１３は、ブランケットの左右方向ＲＬの一端から他端まで連続的に設けられている。
【００２９】
カバー部１３が両脚２のそれぞれの下腿３の裏側３ａを覆った状態で、本体部１０は、上下方向ＵＤにおいてカバー部１３の下方に使用者１の両脚２の甲部４を覆うことが可能な下端部１２を有している。カバー部１３が両脚２のそれぞれの下腿３の裏側３ａを覆った状態で、カバー部１３と本体部１０の裏面１１との間に、使用者１の両脚２の下腿３の様々な動きを許容する内部領域ＩＡが設けられている。内部領域ＩＡは、使用者１の両脚２を組むなどの下腿３の様々な動きを許容するように設けられている。カバー部１３が両脚２のそれぞれの下腿３の裏側３ａを覆った状態で、右足２１の下腿３１および左足２２の下腿３２が左右方向ＲＬに移動可能に内部領域ＩＡは設けられている。カバー部１３は、内部領域ＩＡに両脚２の下腿３が挿入されて覆われた状態で両脚２の足裏５を露出するように本体部１０に固着されている。
【００３０】
なお、本実施の形態のこれ以外の構成は上述した実施の形態１と同様であるため、同一の要素については同一の符号を付し、その説明を繰り返さない。
【００３１】
次に本実施の形態のブランケットの作用効果について説明する。
本実施の形態のブランケットでは、カバー部１３が右足２１の下腿３１および左足２２の下腿３２の裏側３ａを覆った状態で、下端部１２が使用者１の両脚２の甲部４を覆うことが可能であるため、使用者１の下腿３から足先にわたって保温性を向上することができる。また、カバー部１３は、内部領域ＩＡに両脚２の下腿３が挿入されて覆われた状態で両脚２の足裏５を露出するように本体部１０に固着されているため、ブランケットを装着したまま使用者１が容易に足を動かすことができる。また、カバー部１３と本体部１０の裏面１１との間に内部領域ＩＡが設けられているため、ブランケットを装着したまま使用者１の下腿３の様々な動きを許容することができる。したがって、たとえば脚が疲れた場合にブランケットを装着したまま使用者１は脚を組むことができる。
【００３２】
本実施の形態のブランケットでは、カバー部１３は、ブランケットの左右方向の一端から他端まで連続的に設けられている。このため、内部領域ＩＡを拡張することができる。したがって、使用者１の両脚２の可動領域を広く確保することができる。これにより、ブランケットを装着したままで、さらに容易に足を動かすことができる。
【００３３】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【産業上の利用可能性】
【００３４】
本考案は、使用者の両脚を覆うことが可能なブランケットに特に有利に適用され得る。
【符号の説明】
【００３５】
１  使用者、２  両脚、２ａ  両脚の前側、３  下腿、３ａ  下腿の裏側、４  甲部、５  足裏、１０  本体部、１１  裏面、１２  下端部、１３  カバー部、１３ａ  第１カバー部、１３ｂ  第２カバー部、１４  係止部、１４ａ  第１係止部、１４ｂ  第２係止部、１５  係止孔、ＩＡ  内部領域。
【図１】
0003172401.tif 000003
【図２】
0003172401.tif 000004
【図３】
0003172401.tif 000005
【図４】
0003172401.tif 000006